(57)【要約】  検索部（６ｃ）が、情報端末（２ａ，３ａ）からの検索要求に含まれる検索項目と、記憶部（６ｂ）に記憶された複数の電力供給情報に含まれる電力供給条件項目とに基づいて、電力設備（４ａ，５ａ）を検索する。提示情報生成部（６ｄ）は、検索された電力設備（４ａ，５ａ）を提示する提示情報を生成する。予約処理部（６ｅ）は、提示された電力設備（４ａ，５ａ）のうち、情報端末（２ａ，３ａ）から要求された電力設備（４ａ，５ａ）を予約する。
2018225125.tif 000002
【特許請求の範囲】
【請求項１】
電力需要側端末と通信する通信部と、
複数の電力供給源のそれぞれに設定された複数の電力供給情報を記憶する記憶部と、
前記通信部によって前記電力需要側端末から受信された検索要求に含まれる検索項目と前記記憶部に記憶された複数の電力供給情報に含まれる電力供給条件項目とに基づいて、電力供給源を検索する検索部と、
前記検索部によって検索された電力供給源を提示する提示情報を生成する提示情報生成部と、
前記電力需要側端末において前記提示情報によって提示された電力供給源のうち、前記電力需要側端末から要求された電力供給源を予約する予約処理部と
を備えたことを特徴とする電力需給管理装置。
【請求項２】
前記提示情報生成部は、前記検索部によって検索された電力供給源を、電力需要源が到達可能であるか否かを区別して提示する前記提示情報を生成すること
を特徴とする請求項１記載の電力需給管理装置。
【請求項３】
前記検索部は、電力需要源の残電力量が許容下限値未満になった場合、残電力量で電力需要源が移動可能な範囲内でかつ移動経路の周辺に存在する電力供給源を検索すること
を特徴とする請求項１記載の電力需給管理装置。
【請求項４】
前記予約処理部は、前記電力需要側端末からの要求に応じて予約した電力供給源の使用を制限し、電力需要者が認証されると、予約した電力供給源の使用制限を解除し、電力需要者が認証されない場合は、予約した電力供給源の使用制限を継続すること
を特徴とする請求項１記載の電力需給管理装置。
【請求項５】
前記予約処理部は、予約元の電力需要者の電力需要源が、予約した電力供給源の使用を制限する予約時間が経過する前に到達可能であるか否かを推定し、
前記通信部は、前記予約処理部によって予約時間内に到達できないと推定された場合、予約元の電力需要者の前記電力需要側端末から、予約解除、電力供給源の再検索、および予約時間の延長を含む対応処理の選択を受け付け、
前記検索部および前記予約処理部は、前記通信部によって前記電力需要側端末から選択された対応処理を実行すること
を特徴とする請求項４記載の電力需給管理装置。
【請求項６】
前記予約処理部は、予約元の電力需要者による電力供給源の予約時間が経過する前に、別の電力需要者から同一の電力供給源が予約要求された場合、予約元の電力需要者による電力供給源の使用が完了した後に、前記別の電力需要者の電力需要源が電力供給源に到達すると推定されれば、前記別の電力需要者について電力供給源の予約を受け付けること
を特徴とする請求項５記載の電力需給管理装置。
【請求項７】
前記記憶部は、電力供給源の評価情報および電力需要者の評価情報を記憶し、
前記通信部は、前記電力需要側端末からの閲覧要求に応じて、電力供給源の評価情報を前記電力需要側端末に送信し、電力供給側端末からの閲覧要求に応じて、電力需要者の評価情報を前記電力供給側端末に送信すること
を特徴とする請求項１記載の電力需給管理装置。
【請求項８】
前記検索部は、電力需要者の評価情報が電力供給源の評価情報に適合する電力供給源を検索すること
を特徴とする請求項７記載の電力需給管理装置。
【請求項９】
前記通信部によって前記電力需要側端末から受信された電力使用量に対応する料金を、電力供給源を管理する電力供給者に対して決済する決済処理部を備えたこと
を特徴とする請求項１記載の電力需給管理装置。
【請求項１０】
前記決済処理部は、電力の需要と供給の比率、電力供給源の周辺の天候および交通状況のうちの少なくとも一つに応じて電力の単価を変更すること
を特徴とする請求項９記載の電力需給管理装置。
【請求項１１】
電力需要側端末、電力供給側端末およびサーバを備えたシステムであって、
前記電力需要側端末は、
前記サーバと通信する第１の通信部と、
前記第１の通信部によって前記サーバから受信された提示情報を電力需要者に提示する第１の提示部とを有し、
前記電力供給側端末は、
前記サーバと通信する第２の通信部と、
前記第２の通信部によって前記サーバに送信される電力供給情報を電力供給者に提示する第２の提示部とを有し、
前記サーバは、
前記電力需要側端末および前記電力供給側端末と通信する第３の通信部と、
複数の電力供給源のそれぞれに設定されて、前記第３の通信部によって前記電力供給側端末から受信された複数の電力供給情報を記憶する記憶部と、
前記第３の通信部によって前記電力需要側端末から受信された検索要求に含まれる検索項目と前記記憶部に記憶された複数の電力供給情報に含まれる電力供給条件項目とに基づいて、電力供給源を検索する検索部と、
前記検索部によって検索された電力供給源を提示する提示情報を生成する提示情報生成部と、
前記電力需要側端末において前記提示情報によって提示された電力供給源のうち、前記電力需要側端末から要求された電力供給源を予約する予約処理部とを有すること
を特徴とする電力需給管理システム。
【請求項１２】
前記第１の提示部は、予約元の電力需要者の電力需要源が、予約した電力供給源の使用を制限する予約時間内に到達できないと推定されると、予約解除、電力供給源の再検索、および予約時間の延長を含む対応処理の選択情報を、予約元の電力需要者に提示し、
前記検索部および前記予約処理部は、前記選択情報に基づいて、予約元の電力需要者に選択された対応処理を実行すること
を特徴とする請求項１１記載の電力需給管理システム。
【請求項１３】
検索部が、通信部によって電力需要側端末から受信された検索要求に含まれる検索項目と、記憶部に記憶された複数の電力供給情報に含まれる電力供給条件項目とに基づいて、電力供給源を検索するステップと、
提示情報生成部が、前記検索部によって検索された電力供給源を提示する提示情報を生成するステップと、
予約処理部が、前記電力需要側端末において前記提示情報によって提示された電力供給源のうち、前記電力需要側端末から要求された電力供給源を予約するステップと
を備えたことを特徴とする電力需給管理方法。
【発明の詳細な説明】
【技術分野】
【０００１】
この発明は、電気を動力源とする車両と電力設備との間で電力需給のマッチングを行う電力需給管理装置、電力需給管理システムおよび電力需給管理方法に関する。
【背景技術】
【０００２】
電気を動力源とする車両（以下、車両と記載する）は、蓄電池に蓄電されている電力を動力源としており、車両の移動に伴って蓄電池を充電する必要がある。
蓄電池の充電には、自宅の商用電源を使用できるが、外出先では、駐車が可能な施設に設けられた充電設備が使用される。
ただし、充電設備は、ガソリンスタンドほど普及していない。このため、車両で長距離を移動する場合、車両利用者があらかじめ充電設備の場所を確認しておく必要がある。【０００３】
近年では、一般の住宅、店舗、公共施設または工場において、太陽光または風力による発電設備の導入が進んでおり、発電設備によって余剰に発電された電力を電力会社に売電することあるいは蓄電設備に蓄電しておくことが可能になっている。
ただし、電力会社への売電量が超過すると、売電価格が下落するか、電力の買い取り量が制限される可能性がある。また、蓄電設備に蓄電可能な電力容量の上限に達した場合、発電設備によって余剰に発電された電力を蓄電設備に蓄電できなくなる。【０００４】
このように、従来は、蓄電池を充電したい電力需要側と余剰電力を売電したい電力供給側とのバランスがとれていなかった。
これに対して、例えば、特許文献１には、車両利用者が、電力の販売位置を、携帯電話を介して検索することができる充電サービスシステムが記載されている。
このシステムでは、携帯電話を介した要求に応じて、電力の販売位置情報を携帯電話のブラウザに表示する。車両利用者は、携帯電話のブラウザに表示された電力の販売位置で車両を充電することができる。
【先行技術文献】
【特許文献】
【０００５】
【特許文献１】特開２００２−３５４６０９号公報
【発明の概要】
【発明が解決しようとする課題】
【０００６】
しかしながら、特許文献１に記載されたシステムでは、電力の販売状況を車両利用者が把握できないため、電力の販売位置に移動しても車両利用者が車両を充電できない場合があった。例えば、特許文献１に記載されたシステムは、電力の販売位置情報のみを車両利用者に提示するため、車両利用者は、電力販売者から指定された電力販売条件および充電設備の使用状況を把握することができない。このため、電力の販売位置に移動しても電力販売条件を満たしていないまたは充電設備が使用中であると、車両利用者は、車両を充電できない。このように、特許文献１に記載されたシステムは、電力販売者側の電力設備（発電設備または蓄電設備）の余剰電力を有効に活用できていないという課題があった。【０００７】
この発明は上記課題を解決するもので、電力供給源の余剰な電力を有効に活用することができる電力需給管理装置、電力需給管理システムおよび電力需給管理方法を得ることを目的とする。
【課題を解決するための手段】
【０００８】
この発明に係る電力需給管理装置は、通信部、記憶部、検索部および予約処理部を備える。通信部は、電力需要側端末と通信する。記憶部は、複数の電力設備のそれぞれに設定された複数の電力供給情報を記憶する。検索部は、通信部によって電力需要側端末から受信された検索要求に含まれる検索項目と記憶部に記憶された複数の電力供給情報に含まれる電力供給条件項目とに基づいて電力設備を検索する。提示情報生成部は、検索部によって検索された電力設備を提示する提示情報を生成する。予約処理部は、電力需要側端末において提示情報によって提示された電力供給源のうち、電力需要側端末から要求された電力供給源を予約する。
【発明の効果】
【０００９】
この発明によれば、電力供給源の検索条件と電力供給条件に基づいて電力供給源を検索して予約するので、電力供給源を使用できない状況が回避され、電力供給源の余剰な電力を有効に活用することができる。
【図面の簡単な説明】
【００１０】
【図１】この発明の実施の形態１に係る電力需給管理システムの構成を示すブロック図である。
【図２】実施の形態１に係る電力需給管理装置の構成を示すブロック図である。
【図３】実施の形態１における電力需要側端末の構成を示すブロック図である。
【図４】実施の形態１における電力供給側端末の構成を示すブロック図である。
【図５】図５Ａは、電力需給管理装置の機能を実現するハードウェア構成を示すブロック図である。図５Ｂは、電力需給管理装置の機能を実現するソフトウェアを実行するハードウェア構成を示すブロック図である。
【図６】図６Ａは、電力需要側端末による予約要求処理を示すフローチャートである。図６Ｂは、電力需給管理装置による検索処理および予約処理を示すフローチャートである。
【図７】電力需給管理装置による予約管理処理を示すフローチャートである。
【図８】実施の形態１における電力供給情報の電力供給条件項目の設定画面を示す図である。
【図９】実施の形態１における電力設備の検索項目の設定画面を示す図である。
【図１０】実施の形態１における電力設備の提示情報画面を示す図である。
【図１１】実施の形態１における電力設備の予約要求画面を示す図である。
【図１２】実施の形態１における電力設備の予約完了画面を示す図である。
【図１３】実施の形態１における提示情報画面の別の例を示す図である。
【図１４】この発明の実施の形態２に係る電力需給管理装置の構成を示すブロック図である。
【図１５】図１５Ａは、電力供給側端末による使用電力量の計測および通知処理を示すフローチャートである。図１５Ｂは、電力需給管理装置による決済処理を示すフローチャートである。
【発明を実施するための形態】
【００１１】
以下、この発明をより詳細に説明するため、この発明を実施するための形態について、添付の図面に従って説明する。
実施の形態１．
図１は、この発明の実施の形態１に係る電力需給管理システム１の構成を示すブロック図である。図１において、電力需給管理システム１は、車両２および車両３と、住宅４の電力設備４ａおよび店舗５の電力設備５ａとの間で電力需給をマッチングするシステムである。電力需給管理システム１は、情報端末２ａ、情報端末３ａ、情報端末４ｂ、情報端末５ｂ、サーバ６および情報サーバ７を備えており、これらは、ネットワーク８を介して通信可能に接続されている。
【００１２】
車両２は、情報端末２ａ、処理装置２ｂおよび蓄電池２ｃを備えており、蓄電池２ｃに蓄電された電力を動力源として走行する。電力需要側端末である情報端末２ａは、車両２に搭載されており、ネットワーク８におけるサーバ６と通信可能に接続される。
処理装置２ｂは、ナビゲーション装置あるいはオーディオ装置といったマルチメディア機器であって、蓄電池２ｃに蓄電された電力で駆動する。蓄電池２ｃは、電力需要源であり、車両２の乗員は、電力需要者である。
【００１３】
車両３は、処理装置３ｂおよび蓄電池３ｃを備えており、蓄電池３ｃに蓄電された電力を動力源として走行する。電力需要側端末である情報端末３ａは、車両３の乗員によって車内に持ち込まれた端末であり、ネットワーク８におけるサーバ６と通信可能に接続される。
処理装置３ｂは、ナビゲーション装置またはオーディオ装置といったマルチメディア機器であって、蓄電池３ｃに蓄電された電力で駆動する。蓄電池３ｃは、電力需要源であり、車両３の乗員は、電力需要者である。
【００１４】
住宅４は、電力需給管理システム１が提供するサービスに登録した電力供給者の住宅であり、電力設備４ａ、情報端末４ｂ、ルータ４ｃおよびゲートウェイ装置４ｄを備える。  電力設備４ａは、発電装置および充電装置から構成されており、発電装置によって余剰に発電された電力を、充電装置によって車両２または車両３に供給する電力供給源である。発電装置は、例えば、太陽光パネルによって実現される。
【００１５】
電力供給側端末である情報端末４ｂは、住宅４の電力供給者に管理され、ネットワーク８におけるサーバ６と通信可能に接続される。ルータ４ｃは、情報端末４ｂおよびゲートウェイ装置４ｄとネットワーク８との間の通信接続を中継する装置である。
ゲートウェイ装置４ｄは、ネットワーク８を介して電力設備４ａの発電および充電に関する情報を収集する。なお、電力設備４ａの発電および充電に関する情報を情報端末４ｂが収集し、住宅４からゲートウェイ装置４ｄを除いてもよい。
【００１６】
店舗５は、電力需給管理システム１が提供するサービスに登録した電力供給者の店舗であり、電力設備５ａ、情報端末５ｂ、ルータ５ｃおよびゲートウェイ装置５ｄを備える。  電力設備５ａは、蓄電装置および充電装置から構成されており、蓄電装置において余剰に蓄えられた電力を、充電装置によって車両２または車両３に供給する電力供給源である。蓄電装置は、例えば、電力単価の安い時間帯に購入された電力を、電力網を介して蓄電している。
【００１７】
電力供給側端末である情報端末５ｂは、店舗５の電力供給者に管理され、ネットワーク８におけるサーバ６と通信可能に接続される。ルータ５ｃは、情報端末５ｂおよびゲートウェイ装置５ｄとネットワーク８との間の通信接続を中継する装置である。
ゲートウェイ装置５ｄは、ネットワーク８を介して電力設備５ａの蓄電および充電に関する情報を収集する。なお、電力設備５ａの蓄電および充電に関する情報を情報端末５ｂが収集し、店舗５からゲートウェイ装置５ｄを除いてもよい。
【００１８】
サーバ６は、実施の形態１に係る電力需給管理装置であり、車両２および車両３と電力設備４ａおよび電力設備５ａとの間で電力需給をマッチングする。
情報サーバ７は、天候情報、道路情報および交通情報を管理するサーバであり、情報の提供要求に応じて、要求された場所周辺の天候、道路情報および交通情報を要求元に提供する。ネットワーク８は、インターネットなどの通信網である。
【００１９】
図２は、電力需給管理装置であるサーバ６の構成を示すブロック図である。図３は、電力需要側端末である情報端末２ａおよび情報端末３ａの構成を示すブロック図である。図４は、電力供給側端末である情報端末４ｂおよび情報端末５ｂの構成を示すブロック図である。図２に示すように、サーバ６は、通信部６ａ、記憶部６ｂ、検索部６ｃ、提示情報生成部６ｄおよび予約処理部６ｅを備える。図３に示すように、情報端末２ａおよび情報端末３ａは、通信部３００、提示部３０１および出力部３０２を備える。図４に示すように、情報端末４ｂおよび情報端末５ｂは、通信部４００、提示部４０１および出力部４０２を備える。
【００２０】
情報端末２ａおよび情報端末３ａが備える通信部３００は、ネットワーク８を介して、サーバ６と通信する第１の通信部である。
提示部３０１は、通信部３００によってサーバ６から受信された提示情報を、出力部３０２を介して電力需要者に提示する第１の提示部である。
出力部３０２は、情報端末２ａおよび情報端末３ａに設けられたモニタまたはスピーカである。すなわち、提示部３０１は、電力需要者に対して提示情報を視覚的または聴覚的に提示する。
【００２１】
情報端末４ｂおよび情報端末５ｂが備える通信部４００は、ネットワーク８を介して、サーバ６と通信する第２の通信部である。提示部４０１は、通信部４００によってサーバ６に送信される電力供給情報を、電力供給者に提示する第２の提示部である。
出力部４０２は、情報端末４ｂおよび情報端末５ｂに設けられたモニタまたはスピーカである。すなわち、提示部４０１は、サーバ６に送信する電力供給情報を、視覚的または聴覚的に電力供給者に提示する。これにより、電力供給者は、出力部４０２に出力された電力供給条件項目を確認しながら、電力供給情報を設定することができる。
【００２２】
また、サーバ６が備える通信部６ａは、ネットワーク８を介して、情報端末２ａ、情報端末３ａ、情報端末４ｂおよび情報端末５ｂと通信する第３の通信部である。
記憶部６ｂは、電力設備４ａおよび電力設備５ａのそれぞれに設定された電力供給情報を記憶する。例えば、記憶部６ｂは、通信部６ａにより情報端末４ｂまたは情報端末５ｂから受信された電力供給情報を記憶する。
【００２３】
電力供給情報には、電力設備の電力供給条件が設定される。電力供給条件には、電力需要者へ公開する電力設備の名称に加えて、複数の電力供給条件項目が含まれる。
電力供給条件項目には、例えば、“電力設備の提供可否”、“駐車場の使用状況”、“供給時間”、“余剰電力条件”、“電力価格”、“評価”、“天気”、“交通状況”がある。
【００２４】
項目“電力設備の提供可否”には、電力設備を提供するか否かを示すデジタル値が設定される。この項目がオフ（例えば、０値）であれば、電力設備を充電に使用することが不可となり、オン（例えば、１値）であると、電力設備を充電に使用することが可となる。  項目“駐車場の使用状況”には、電力設備が設けられた駐車場の使用状況が設定される。例えば、充電設備が設けられた駐車場に空きがある場合にのみ、電力設備の使用が許可される。
項目“供給時間”には、電力供給者が電力の供給を許可する曜日および時間帯が設定される。例えば、電力供給者によって指定された曜日および時間帯にのみ、電力設備の使用が許可される。
【００２５】
項目“余剰電力条件”には、余剰電力と判断される条件が設定される。
例えば、（１）供給が許容される電力の最大供給量（ｋＷｈ）、（２）供給対象の電力が電力設備で発電された電力のみであること（電力網から購入した電力は供給しない）、（３）電力設備の発電量が○○ｋＷｈ以上であるときのみ、電力を供給すること、（４）蓄電装置の残電力量が△△％以上であるときのみ、電力を供給すること、といった内容のいずれかまたは組み合わせが設定される。
【００２６】
項目“電力価格”には、供給する電力の価格条件が設定される。
例えば、（１）電力供給者が設定した固定値（価格）、（２）価格の範囲（電力価格が変動する場合）、（３）電力会社への売電単価を上回った場合（電力価格が変動する場合）といった内容のいずれかまたは組み合わせが設定される。
項目“評価”には、電力の供給を許可する電力需要者の評価値が設定される。例えば、電力需要者の評価がポイントで規定される場合、項目“評価”に設定された許容ポイント以上の評価を受けている電力需要者にのみ、電力設備の使用が許可される。
【００２７】
項目“天気”には、電力設備で電力供給するときの電力設備周辺の天気が設定される。例えば、電力設備の発電装置が太陽光パネルである場合、天気が晴れ以外であると、発電量が少ないと予想されるので電力の供給を行わない。
項目“交通状況”には、電力設備で電力供給するときの電力設備周辺の交通状況が設定される。例えば、電力設備周辺の道路が混雑していると、電力の需要が増えることが予想されるので、電力設備周辺の交通量が多い場合に電力設備の使用が許可される。
【００２８】
検索部６ｃは、通信部６ａによって受信された検索要求に含まれる検索項目と、記憶部６ｂに記憶されている電力供給情報に含まれる電力供給条件項目とに基づいて、電力設備を検索する。検索要求は、電力需要側端末である情報端末２ａまたは情報端末３ａにより行われる。
【００２９】
検索要求には、複数の検索項目が含まれている。
検索項目には、例えば、“おすすめ”、“距離優先”、“単価優先”、“充電の最適な位置またはタイミング”、“急速充電優先”、“充電量”、“充電の効率または速さ”、“安定供給”、“過去利用”、“評価”、“カスタム条件”がある。
【００３０】
項目“おすすめ”には、後述する各項目に設定された内容の組み合わせに最も適合する電力設備を充電対象とすることを指示する指示情報が設定される。
項目“距離優先”には、電力需要者の現在位置からの距離範囲が設定される。この距離範囲内に存在する電力設備が充電候補として検索される。
項目“単価優先”には、電力需要者が許容する電力価格の範囲が設定される。この価格範囲内の電力設備が充電候補として検索される。
【００３１】
項目“充電の最適な位置またはタイミング”には、車両の案内経路または蓄電池の残電力量を考慮した電力設備の検索条件が設定される。
例えば、蓄電池の残電力量が許容下限値未満になった場合に、蓄電池の残電力量で車両が走行可能な範囲内でかつ案内経路周辺に存在する電力設備を検索することが指示情報として設定される。案内経路が設定されていない場合、蓄電池の残電力量が許容下限値未満になったタイミングで電力設備を検索することが指示情報として設定される。
【００３２】
項目“急速充電優先”には、急速充電が可能な電力設備を優先して検索させる指示情報が設定される。項目“充電量”には、充電可能な電力量が許容下限値よりも多い電力設備を優先して検索させる指示情報が設定される。
項目“充電の効率または速さ”には、車両の現在位置から最短時間で電力供給が可能な電力設備を検索させる指示情報が設定される。この指示情報によって、例えば、電力設備までの車両の移動距離、充電時間および充電可能量が総合的に判断され、車両の現在位置から最短時間で蓄電池を充電可能な電力設備が検索される。
【００３３】
項目“安定供給”には、余剰電力が許容下限値を下回っても、充電に必要な電力量を、電力網から調達可能な電力設備を検索させる指示情報が設定される。
項目“過去利用”には、電力需要者が過去に利用したことがある電力設備を優先して検索させる指示情報が設定される。
【００３４】
項目“評価”には、電力需要者が電力供給を受けたい電力設備の評価値が設定される。例えば、電力設備の評価がポイントで規定される場合に、項目“評価”に設定された許容ポイント以上の評価を受けている電力設備が検索される。
すなわち、検索部６ｃは、電力需要者の評価情報が電力設備の評価情報に適合する電力設備を検索する。電力需要者と電力設備との両方の評価を利用することで、電力需要側と電力供給側の両方の希望に応じた電力需給が可能となって電力需給サービスの向上を図ることができる。
【００３５】
項目“カスタム条件”には、電力需要者から受け付けられた上記以外の検索条件が設定される。電力需要者によって過去に設定された詳細な検索条件を情報端末のメモリに記憶しておき、情報端末で検索要求を行うごとに、メモリから読み出された上記検索条件を、この項目に設定してもよい。
【００３６】
提示情報生成部６ｄは、検索部６ｃによって検索された電力設備を提示する提示情報を生成する。提示情報は、検索部６ｃによって検索された電力設備を電力需要者に提示するための情報である。複数の電力設備が検索された場合、提示情報には、これらの電力設備の一覧が設定される。
【００３７】
予約処理部６ｅは、情報端末２ａにおいて提示情報によって提示された電力設備のうち、情報端末２ａから要求された電力設備を予約する。同様に、予約処理部６ｅは、情報端末３ａにおいて提示情報によって提示された電力設備のうち、情報端末３ａから要求された電力設備を予約する。
例えば、予約処理部６ｅは、情報端末２ａの要求に応じて電力設備４ａを予約すると、通信部６ａに指示して、予約情報をゲートウェイ装置４ｄに送信する。ゲートウェイ装置４ｄは、予約情報を電力設備４ａに出力する。これにより、電力設備４ａは、予約情報に含まれる予約時間が経過するまで使用が制限される。
【００３８】
予約処理部６ｅは、車両２が住宅４に到着して電力需要者の認証に成功すると、通信部６ａに指示してゲートウェイ装置４ｄに制御情報を送信する。
ゲートウェイ装置４ｄは、サーバ６から受信された制御情報を電力設備４ａに出力する。電力設備４ａは、制御情報によって使用制限が解除される。これにより、電力需要者は、電力設備４ａを使用して蓄電池２ｃを充電することができる。なお、電力需要者の認証に失敗すると、電力設備４ａの使用制限が継続される。
【００３９】
図５Ａは、電力需給管理装置であるサーバ６の機能を実現するハードウェア構成を示すブロック図である。図５Ａにおいて、通信装置１００、記憶装置１０１および処理回路１０２は、信号線によって互いに接続されている。図５Ｂは、サーバ６の機能を実現するソフトウェアを実行するハードウェア構成を示すブロック図である。図５Ｂにおいて、通信装置１００、記憶装置１０１、プロセッサ１０３およびメモリ１０４は、信号線によって互いに接続されている。サーバ６における通信部６ａは、図５Ａおよび図５Ｂに示す通信装置１００である。さらに、サーバ６における記憶部６ｂは、図５Ａおよび図５Ｂに示す記憶装置１０１である。
【００４０】
サーバ６における、検索部６ｃ、提示情報生成部６ｄおよび予約処理部６ｅのそれぞれの機能は、処理回路によって実現される。すなわち、サーバ６は、図６Ｂに示すステップＳＴ１ａからステップＳＴ４ａまでの処理を実行するための処理回路を備える。処理回路は、専用のハードウェアであっても、メモリに記憶されたプログラムを実行するＣＰＵ（Ｃｅｎｔｒａｌ  Ｐｒｏｃｅｓｓｉｎｇ  Ｕｎｉｔ）であってもよい。
【００４１】
処理回路が図５Ａに示す専用のハードウェアである場合、処理回路１０２は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）またはこれらを組み合わせたものが該当する。
検索部６ｃ、提示情報生成部６ｄおよび予約処理部６ｅのそれぞれの機能を別々の処理回路で実現してもよいし、これらの機能をまとめて１つの処理回路で実現してもよい。
【００４２】
処理回路が図５Ｂに示すプロセッサ１０３である場合、検索部６ｃ、提示情報生成部６ｄおよび予約処理部６ｅのそれぞれの機能は、ソフトウェア、ファームウェアまたはソフトウェアとファームウェアとの組み合わせによって実現される。ソフトウェアまたはファームウェアはプログラムとして記述され、メモリ１０４に記憶される。
プロセッサ１０３は、メモリ１０４に記憶されたプログラムを読み出して実行することにより、検索部６ｃ、提示情報生成部６ｄおよび予約処理部６ｅのそれぞれの機能を実現する。すなわち、サーバ６は、プロセッサ１０３によって実行されるとき、図６Ｂに示すステップＳＴ１ａからステップＳＴ４ａまでの処理が結果的に実行されるプログラムを記憶するためのメモリ１０４を備える。これらのプログラムは、検索部６ｃ、提示情報生成部６ｄおよび予約処理部６ｅの手順または方法をコンピュータに実行させるものである。
【００４３】
メモリ１０４には、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ−ＥＰＲＯＭ）などの不揮発性または揮発性の半導体メモリ、磁気ディスク、フレキシブルディスク、光ディスク、コンパクトディスク、ミニディスク、ＤＶＤなどが該当する。
【００４４】
検索部６ｃ、提示情報生成部６ｄ、および予約処理部６ｅのそれぞれの機能について、一部を専用のハードウェアで実現し、一部をソフトウェアまたはファームウェアで実現してもよい。例えば、検索部６ｃについては、専用のハードウェアとしての処理回路でその機能を実現し、提示情報生成部６ｄおよび予約処理部６ｅについては、プロセッサ１０３がメモリ１０４に記憶されたプログラムを読み出して実行することによりその機能を実現してもよい。このように、処理回路は、ハードウェア、ソフトウェア、ファームウェア、またはこれらの組み合わせによって、上記機能のそれぞれを実現することができる。
【００４５】
次に動作について説明する。
図６Ａは、情報端末２ａによる予約要求処理を示すフローチャートである。図６Ｂは、サーバ６による検索処理および予約処理を示すフローチャートである。図７は、サーバ６による予約管理処理を示すフローチャートである。
以降では、車両２の電力需要者が、電力設備４ａを使用して蓄電池２ｃを充電するまでの処理を例に挙げて説明する。
【００４６】
まず、図６Ａ、図６Ｂおよび図７に示す処理の前に、電力需要者および電力供給者は、サーバ６に対してサービスの利用登録を行う。例えば、電力供給者は、電力料金を受ける銀行口座の口座番号などの情報をサーバ６に通知し、電力需要者は、電力料金の支払いを行うクレジットカードなどの情報をサーバ６に通知する。これらの情報は、通信部６ａに受信されると、記憶部６ｂに格納される。
【００４７】
次に、電力供給者は、電力供給側端末を用いて、電力設備の電力供給情報をサーバ６に登録する。図８は、電力供給情報の電力供給条件項目の設定画面を示す図である。
情報端末４ｂの提示部４０１は、例えば、図８に示す設定画面を、出力部４０２であるモニタに表示して電力設備４ａの電力供給条件の設定を受け付ける。上記設定画面では、電力設備４ａの公開名のほかに、電力供給条件項目である、“電力設備の提供可否”、“駐車場の使用状況”、“供給時間”、“余剰電力条件”、“電力価格”および“天気”を設定することができる。
【００４８】
電力供給者は、上記設定画面に基づいて、情報端末４ｂに情報を設定入力することで、電力設備４ａの位置情報および電力供給条件項目を含む電力供給情報が生成される。
情報端末４ｂの通信部４００は、ルータ４ｃおよびネットワーク８を介して、電力供給情報をサーバ６に送信する。サーバ６の通信部６ａによって受信された電力供給情報は、記憶部６ｂに格納される。
なお、情報端末５ｂを使用して電力設備５ａの電力供給情報をサーバ６に登録する処理は、情報端末４ｂを使用して電力設備４ａの電力供給情報をサーバ６に登録する処理と同様である。
【００４９】
ステップＳＴ１において、情報端末２ａの通信部３００は、ネットワーク８を介して、電力設備の検索要求をサーバ６に送信する。
図９は、検索要求の検索項目の設定画面を示す図である。情報端末２ａの提示部３０１は、例えば、図９に示す設定画面を、出力部３０２であるモニタに表示して電力設備の検索条件の設定を受け付ける。上記設定画面では、電力設備の検索項目である、“おすすめ”、“距離優先”、“単価優先”、“充電の最適な位置またはタイミング”、“急速充電優先”および“過去利用”を設定することができる。
【００５０】
電力需要者は、上記設定画面に基づいて、情報端末２ａに情報を設定入力することで、車両２の現在位置および検索項目を含む検索要求が生成される。
情報端末２ａの通信部３００は、ネットワーク８を介して、検索要求をサーバ６に送信する。なお、情報端末３ａを使用してサーバ６に検索要求を行う処理は、情報端末２ａを使用してサーバ６に検索要求を行う処理と同様である。
【００５１】
サーバ６の検索部６ｃは、通信部６ａによって受信された検索要求に含まれる検索項目と記憶部６ｂに記憶されている電力供給情報に含まれる電力供給条件項目とに基づいて、電力設備を検索する（ステップＳＴ１ａ）。
例えば、検索要求に検索項目“距離優先”が設定されていた場合、検索部６ｃは、検索項目“距離優先”から検索用の距離範囲を抽出する。
次に、検索部６ｃは、記憶部６ｂに電力供給情報が登録された電力設備のうち、車両２の現在位置から検索用の距離範囲内に存在する電力設備を検索する。
この後、検索部６ｃは、上記検索項目に基づいて検索した電力設備のうち、検索要求元が電力供給条件を満たしていない電力設備を、検索結果から除外する。
【００５２】
サーバ６の提示情報生成部６ｄは、上記検索結果の電力設備を提示する提示情報を生成する（ステップＳＴ２ａ）。複数の電力設備が検索された場合、提示情報には、これらの電力設備の一覧が設定される。
次に、サーバ６の通信部６ａは、提示情報生成部６ｄによって生成された提示情報を、検索要求元の情報端末２ａに送信する（ステップＳＴ３ａ）。
【００５３】
ステップＳＴ２において、情報端末２ａの提示部３０１は、通信部３００によってサーバ６から受信された上記提示情報を電力需要者に提示する。
図１０は、提示情報画面を示す図である。提示部３０１は、例えば、図１０に示す提示情報画面を、出力部３０２であるモニタに表示する。
上記提示情報画面には、検索項目“距離優先”に設定された検索条件で検索された電力設備の一覧が表示されている。
情報端末２ａは、上記提示情報画面がモニタに表示された状態で、電力需要者から予約要求する電力設備の選択を受け付ける。
【００５４】
この後、電力需要者は、上記提示情報画面に表示された電力設備から、電力設備４ａを選択する。例えば、図１０に示した提示情報画面において、“○○町１−１−２”という公開名の電力設備４ａが選択されると、提示部３０１は、上記提示情報に含まれる電力設備４ａの詳細情報に基づいて、電力設備４ａの予約要求画面をモニタに表示する。
【００５５】
図１１は、電力設備４ａの予約要求画面を示す図であり、予約要求対象として“○○町１−１−２”という公開名の電力設備４ａが選択された場合を示している。図１１に示すように、予約要求画面には、電力需要者により選択された電力設備４ａの詳細情報が表示されている。情報端末２ａの通信部３００は、上記予約要求画面の“予約”ボタンが操作されると、上記予約要求画面に表示された電力設備４ａの予約要求をサーバ６に送信する（ステップＳＴ３）。
【００５６】
サーバ６の予約処理部６ｅは、前述のようにして情報端末２ａから予約要求された電力設備４ａを予約する（ステップＳＴ４ａ）。
例えば、予約処理部６ｅは、予約元の電力需要者のＩＤ情報と電力設備４ａの予約情報とを紐付けて記憶部６ｂに記憶する。予約情報には、電力設備４ａの予約開始時刻とこの予約開始時刻から電力設備４ａの使用制限を行う予約時間とが含まれている。
予約処理部６ｅは、通信部６ａに指示して情報端末２ａおよびゲートウェイ装置４ｄに予約情報を送信する。ゲートウェイ装置４ｄは、サーバ６から受信された予約情報を電力設備４ａに出力する。電力設備４ａは、予約情報に含まれる予約時間が経過するまで使用が制限される。
【００５７】
情報端末２ａの提示部３０１は、電力設備４ａの予約情報から予約完了画面を生成して出力部３０２であるモニタに表示する。図１２は、予約完了画面の例を示す図である。
提示部３０１は、車両２周辺の道路情報および交通情報に基づいて、図１２に示すように車両２の現在位置から電力設備４ａまでの経路を予約完了画面上に表示してもよい。
なお、車両２周辺の道路情報および交通情報は、ネットワーク８を介して情報端末２ａの通信部３００によって取得されたものでもよく、サーバ６あるいは情報サーバ７から取得したものでもよい。
上記予約完了画面における“ナビ開始”ボタンが操作されると、情報端末２ａは、電力設備４ａまでの経路のナビゲーションを開始する。
【００５８】
車両２が電力設備４ａに到達すると、サーバ６によって電力設備４ａの予約管理処理が実行される。
まず、電力設備４ａは、電力需要者のＩＤ情報を取得すると、ゲートウェイ装置４ｄに上記ＩＤ情報を出力する。ゲートウェイ装置４ｄは、入力したＩＤ情報を含んだ認証要求情報を、ルータ４ｃを介してサーバ６に送信する。
ＩＤ情報の取得方法には、例えば、近距離無線通信（ＮＦＣ）およびバーコード画像の解析が挙げられる。また、情報端末４ｂが、電力設備４ａの位置と車両２の位置とが一致したことを確認した場合に、予約元の電力需要者が電力設備４ａに到達したと判断してもよい。なお、サーバ６への認証要求情報の送信は、ゲートウェイ装置４ｄが行う場合の他に、情報端末２ａが行う場合があり、もしくはこれらの両方が行う場合も考えられる。
【００５９】
予約処理部６ｅは、通信部６ａによって受信されたＩＤ情報が、記憶部６ｂに記憶した予約元の電力需要者のＩＤ情報と一致するか否かを確認する（ステップＳＴ１ｂ）。
ＩＤ情報が一致せず電力需要者の認証に失敗した場合（ステップＳＴ１ｂ；ＮＯ）、予約処理部６ｅは、ステップＳＴ３ｂの処理に移行する。
【００６０】
ステップＳＴ３ｂにおいて、予約処理部６ｅは、エラー通知情報を生成し、通信部６ａに指示してエラー通知情報を情報端末２ａに送信する。このとき、電力設備４ａの使用制限は継続される。上記エラー通知情報は、電力設備４ａを現在使用しようとしている電力需要者が予約者ではないことを示す情報である。
【００６１】
情報端末２ａの通信部３００は、サーバ６から上記エラー通知情報を受信する。
情報端末２ａの提示部３０１は、出力部３０２を介して上記エラー通知情報を電力需要者に提示する。電力需要者は、上記エラー通知情報によって、すでに電力設備４ａが予約されていることを把握できる。
【００６２】
ＩＤ情報が一致して電力需要者の認証に成功した場合（ステップＳＴ１ｂ；ＹＥＳ）、予約処理部６ｅは、車両２が予約時間内に電力設備４ａに到着したか否かを確認する（ステップＳＴ２ｂ）。
車両２が予約時間内に電力設備４ａに到着しない場合（ステップＳＴ２ｂ；ＮＯ）、予約処理部６ｅは、エラー通知情報を生成し、通信部６ａに指示して、上記エラー通知情報を情報端末２ａに送信する（ステップＳＴ３ｂ）。このとき、電力設備４ａの使用制限は継続される。上記エラー通知情報は、電力設備４ａを予約した電力需要者であるが、予約時間内に電力設備４ａを使用しなかったので、予約が解除されたことを示す情報である。
【００６３】
情報端末２ａの通信部３００は、サーバ６から上記エラー通知情報を受信する。
情報端末２ａの提示部３０１は、出力部３０２を介して上記エラー通知情報を電力需要者に提示する。電力需要者は、上記エラー通知情報によって、予約時間が経過したため、電力設備４ａの予約が解除されたことを把握できる。
これにより、電力設備４ａについて次の予約があるときに異なる電力需要者同士で電力設備４ａの使用が重なることを防止できる。
【００６４】
一方、車両２が予約時間内に電力設備４ａに到着した場合（ステップＳＴ２ｂ；ＹＥＳ）、予約処理部６ｅは、電力設備４ａの使用制限を解除する制御情報を生成して、通信部６ａに指示して上記制御情報を電力設備４ａ側に送信する（ステップＳＴ４ｂ）。
ゲートウェイ装置４ｄは、上記制御情報を受信すると、電力設備４ａに出力する。
電力設備４ａは、上記制御情報によって使用の制限が解除される。これにより、予約元の電力需要者は、電力設備４ａを使用して蓄電池２ｃを充電することが可能となる。このとき、車両２は、住宅４の駐車場に駐車されて、電力設備４ａの充電装置に蓄電池２ｃが接続された状態になっている。
【００６５】
これまで、提示情報が、検索部６ｃによって検索された電力設備の一覧を提示する情報である場合を示したが、実施の形態１では、電力需要者の車両が蓄電池の残電力量で走行可能な範囲を考慮した電力設備の提示情報を採用してもよい。
例えば、電力需要者は、情報端末を用いてサーバ６に対して検索要求を行う。この検索要求には、検索項目として、電力需要者の車両の位置情報（または、上記車両に搭載または持ち込まれた情報端末の位置情報）に加え、蓄電池の残電力量で上記車両が走行可能な範囲が設定されている。
検索部６ｃは、この検索要求に含まれる検索項目に基づいて、電力設備を検索する。
提示情報生成部６ｄは、検索部６ｃによって検索された電力設備を、上記車両が到達可能であるか否かを区別して提示する提示情報を生成する。通信部６ａは、上記提示情報を検索要求元の情報端末に送信する。
【００６６】
図１３は、車両が到達可能な電力設備と車両が到達不可能な電力設備とを区別して示す提示情報画面を示している。
例えば、車両２の電力需要者が情報端末２ａを用いて検索要求した場合、情報端末２ａの提示部３０１は、通信部３００によりサーバ６から受信された上記提示情報を電力需要者に提示する。図１３に示す提示情報画面では、蓄電池２ｃの残電力量で車両２が到達不可能な電力設備と、蓄電池２ｃの残電力量で車両２が到達可能な電力設備とが、異なる色で区別して表示されている。電力需要者は、上記提示情報画面から、車両２が到達可能な電力設備と到達不可能な電力設備とを把握することができる。
なお、車両３の電力需要者が情報端末３ａを用いて検索要求した場合も同様である。
【００６７】
また、実施の形態１では、電力需要者の車両が蓄電池の残電力量で走行可能な範囲と、上記車両の案内経路とを考慮した提示情報を採用してもよい。
例えば、電力需要者は、車両の蓄電池の残電力量が許容下限値未満になると、サーバ６に対して電力設備の検索要求を行う。この検索要求には、検索項目として、電力需要者の車両の位置情報（または、上記車両に搭載または持ち込まれた情報端末の位置情報）、目的地の位置情報および案内経路情報に加え、上記蓄電池の残電力量で上記車両が走行可能な範囲が設定されている。
検索部６ｃは、この検索要求に含まれる検索項目に基づいて電力設備を検索する。
提示情報生成部６ｄは、検索部６ｃによって検索された電力設備を提示する提示情報を生成する。通信部６ａは、上記提示情報を検索要求元の情報端末に送信する。検索要求元の情報端末の提示部３０１が、電力需要者に上記提示情報を提示する。
これにより、充電が必要なタイミングで周辺の電力設備を検索することができ、電力需給サービスの利便性が向上する。
【００６８】
実施の形態１では、車両が電力設備に予約時間内に到達できない場合に、下記の処理を実行してもよい。
例えば、車両２の電力需要者が電力設備４ａを予約した場合において、予約処理部６ｅは、車両２の現在位置、電力設備４ａの位置および蓄電池２ｃの残電力量に基づいて、車両２が予約時間の経過前に電力設備４ａに到達可能であるか否かを推定する。
通信部６ａは、予約処理部６ｅによって予約時間内に車両２が電力設備４ａに到達できないと推定された場合に、情報端末２ａから、予約解除、電力供給源の再検索および予約時間の延長を含む対応処理の選択を受け付ける。
検索部６ｃおよび予約処理部６ｅは、通信部６ａによって情報端末２ａから選択された対応処理を実行する。
このようにすることで、不要な予約による電力設備の占有時間が減るため、電力設備の予約効率を高めることができる。
【００６９】
なお、予約時間内に車両２が電力設備４ａに到達できないと推定された場合、情報端末２ａの提示部３０１が、予約解除、電力供給源の再検索および予約時間の延長を含む対応処理の選択情報を、予約元の電力需要者に提示してもよい。
この場合、サーバ６の検索部６ｃおよび予約処理部６ｅは、通信部６ａによって情報端末２ａから受信された上記選択情報に基づいて、予約元の電力需要者によって選択された対応処理を実行する。
このように構成しても、不要な予約による電力設備の占有時間が減るため、電力設備の予約効率を高めることができる。
【００７０】
また、実施の形態１では、ある電力需要者による電力設備の使用が完了した後に同一の電力設備について別の電力需要者が直ちに使用できるように需給を管理してもよい。
例えば、車両２の電力需要者による電力設備４ａの予約時間が経過する前に、別の電力需要者から電力設備４ａが予約要求された場合、予約処理部６ｅは、車両２の電力需要者による電力設備４ａの使用完了見込み時間を推定する。
なお、電力設備４ａの使用完了見込みの時間は、蓄電池２ｃの残電力量または充電済みの電力量と充電可能な電力量の上限値とによって推定することができる。
【００７１】
予約処理部６ｅは、電力設備４ａの上記使用完了見込み時間が経過した後に、別の電力需要者の車両３が電力設備４ａに到達すると推定した場合、別の電力需要者について電力設備４ａの予約を受け付ける。
このように、電力設備４ａの予約時間内であっても、電力設備４ａを使用した車両２の充電が完了した後に車両３が到達すると推定される場合には、車両３の電力需要者による電力設備４ａの予約を可能にする。これにより、複数の電力需要者が電力設備４ａを効率よく使用することができる。
【００７２】
また、実施の形態１では、電力需要者および電力供給者が互いの評価情報を閲覧可能であってもよい。
例えば、記憶部６ｂは、電力設備４ａおよび電力設備５ａの評価情報を記憶し、さらに電力需要者の評価情報を記憶する。
通信部６ａは、情報端末２ａからの閲覧要求に応じて電力設備４ａまたは電力設備５ａの評価情報を情報端末２ａに送信し、情報端末３ａからの閲覧要求に応じて電力設備４ａまたは電力設備５ａの評価情報を情報端末３ａに送信する。
また、通信部６ａは、情報端末４ｂからの閲覧要求に応じて、電力需要者の評価情報を情報端末４ｂに送信し、情報端末５ｂからの閲覧要求に応じて、電力需要者の評価情報を情報端末５ｂに送信する。
これにより、電力需要者は、電力設備の検索条件に電力設備の評価情報を設定することができ、電力供給者は、電力供給条件に電力需要者の評価情報を設定することができる。従って、電力需要側と電力供給側の両方の希望に応じた電力需給が可能となるため、電力需給サービスの向上を図ることができる。
【００７３】
以上のように、実施の形態１に係る電力需給管理装置において、検索部６ｃが、検索要求の検索項目と電力供給情報の電力供給条件項目とに基づいて、電力設備４ａおよび電力設備５ａを検索する。提示情報生成部６ｄは、検索部６ｃによって検索された電力設備４ａおよび電力設備５ａを提示する提示情報を生成する。予約処理部６ｅは、提示情報によって提示された電力設備のうち、情報端末２ａまたは情報端末３ａから要求された電力設備を予約する。
このように検索条件と電力供給条件に基づいて電力設備４ａおよび電力設備５ａを検索して予約するので、電力設備４ａおよび電力設備５ａを使用できない状況が回避されて、電力設備４ａおよび電力設備５ａの余剰な電力を有効に活用することができる。
【００７４】
また、実施の形態１に係る電力需給管理装置において、提示情報生成部６ｄは、検索部６ｃによって検索された電力設備を、車両２および車両３のそれぞれの現在位置から到達可能であるか否かを区別して提示する提示情報を生成する。
このように構成することで、電力需要者が、提示情報に基づいて、車両２および車両３が到達可能な電力設備と到達不可能な電力設備とを把握することができる。
【００７５】
さらに、実施の形態１に係る電力需給管理装置において、検索部６ｃは、蓄電池２ｃの残電力量が許容下限値未満になると、車両２が到達可能な範囲内でかつ経路周辺に存在する電力設備を検索する。同様に、検索部６ｃは、蓄電池３ｃの残電力量が許容下限値未満になると、車両３が到達可能な範囲内でかつ経路周辺に存在する電力設備を検索する。このように構成することで、充電が必要なタイミングで周辺の電力設備を検索することができ、電力需給サービスの利便性が向上する。
【００７６】
さらに、実施の形態１に係る電力需給管理装置において、予約処理部６ｅは、情報端末からの要求に応じて予約した電力設備の使用を制限する。予約処理部６ｅは、予約元の電力需要者が認証されると、予約した電力設備の使用制限を解除し、予約元の電力需要者が認証されない場合は、予約した電力設備の使用制限を継続する。
このように構成することで、認証された電力需要者にのみ、電力設備を使用させることができる。
【００７７】
さらに、実施の形態１に係る電力需給管理装置において、予約処理部６ｅは、予約元の電力需要者の車両が、予約した電力設備の使用を制限する予約時間の経過前に電力設備に到達可能であるか否かを推定する。通信部６ａは、予約処理部６ｅによって予約時間の経過前に車両が電力設備に到達できないと推定された場合、情報端末から、予約解除、電力供給源の再検索、および予約時間の延長を含む対応処理の選択を受け付ける。検索部６ｃおよび予約処理部６ｅは、通信部６ａによって情報端末から選択された対応処理を実行する。このように構成することで、不要な予約による電力設備の占有時間が減るため、電力設備の予約効率を高めることができる。
なお、この処理は、電力需要側端末である情報端末２ａおよび情報端末３ａが行っても同様の効果を得ることができる。
【００７８】
さらに、実施の形態１に係る電力需給管理装置において、予約処理部６ｅは、予約元の電力需要者による電力設備４ａの使用が完了した後に、別の電力需要者の車両３が電力設備４ａに到達すると推定されれば、別の電力需要者について電力設備４ａの予約を受け付ける。このように構成することで、複数の電力需要者が電力設備４ａを効率よく使用することができる。
【００７９】
さらに、実施の形態１に係る電力需給管理装置において、記憶部６ｂは、電力設備の評価情報および電力需要者の評価情報を記憶している。
通信部６ａは、情報端末２ａからの閲覧要求に応じて、電力設備の評価情報を情報端末２ａに送信し、情報端末４ｂからの閲覧要求に応じて、電力需要者の評価情報を情報端末４ｂに送信する。
同様に、通信部６ａは、情報端末３ａからの閲覧要求に応じて、電力設備の評価情報を情報端末３ａに送信し、情報端末５ｂからの閲覧要求に応じて、電力需要者の評価情報を情報端末５ｂに送信する。
このように構成することで、電力需要者は、電力設備の検索条件に電力設備の評価情報を設定することができ、電力供給者は、電力供給条件に電力需要者の評価情報を設定することができる。これにより、電力需要側と電力供給側の両方の希望に応じた電力需給が可能となるため、電力需給サービスの向上を図ることができる。
【００８０】
さらに、実施の形態１に係る電力需給管理装置において、検索部６ｃが、電力需要者の評価情報が電力設備の評価情報に適合する電力設備を検索する。
これにより、電力需要側と電力供給側の両方の希望に応じた電力需給が可能となって、電力需給サービスの向上を図ることができる。
【００８１】
実施の形態２．
図１４は、この発明の実施の形態２に係る電力需給管理装置であるサーバ６Ａの構成を示すブロック図である。図１４において、図２と同一の構成要素には同一の符号を付して説明を省略する。サーバ６Ａは、通信部６ａ、記憶部６ｂ、検索部６ｃ、提示情報生成部６ｄ、予約処理部６ｅおよび決済処理部６ｆを備える。
決済処理部６ｆは、通信部６ａによって情報端末４ｂから受信された電力使用量に対応する料金を、電力設備４ａを管理する電力供給者に対して決済する。
同様に、決済処理部６ｆは、通信部６ａによって情報端末５ｂから受信された電力使用量に対応する料金を、電力設備５ａを管理する電力供給者に対して決済する。
【００８２】
サーバ６Ａにおける通信部６ａは、図５Ａおよび図５Ｂに示す通信装置１００である。
サーバ６Ａにおける記憶部６ｂは、図５Ａおよび図５Ｂに示す記憶装置１０１である。
サーバ６Ａにおける、検索部６ｃ、提示情報生成部６ｄ、予約処理部６ｅ、および決済処理部６ｆの各機能は、処理回路によって実現される。
すなわち、サーバ６Ａは、これらの機能を実行するための処理回路を備える。
処理回路は、図５Ａに示したような専用のハードウェアであってもよく、図５Ｂに示したような、メモリに格納されるプログラムを実行するプロセッサであってもよい。
【００８３】
次に動作について説明する。
図１５Ａは、電力供給側端末である情報端末４ｂまたは情報端末５ｂによる使用電力量の計測および通知処理を示すフローチャートである。図１５Ｂは、電力需給管理装置であるサーバ６Ａによる決済処理および予約処理を示すフローチャートである。
なお、図１５Ａに示す処理は、図７のステップＳＴ４ｂの処理が完了して、電力設備の使用が開始されてから実行される。以降では、車両２の電力需要者によって電力設備４ａが使用されたものとして説明する。このとき、車両２は、住宅４の駐車場に駐車されて、電力設備４ａの充電装置に蓄電池２ｃが接続された状態になっている。
【００８４】
まず、情報端末４ｂは、電力設備４ａを使用して蓄電池２ｃの充電が開始されると、電力設備４ａの電力使用量の計測を開始する（ステップＳＴ１ｃ）。
なお、電力使用量の計測は、ゲートウェイ装置４ｄが行ってもよい。
また、決済処理部６ｆが、通信部６ａによって情報端末４ｂから蓄電池２ｃの残電力量と充電後の電力量とを受信して電力使用量を算出してもよい。
【００８５】
情報端末４ｂは、電力設備４ａの電力使用量が目標の電力量に達したか否かを確認する（ステップＳＴ２ｃ）。目標の電力量は、電力設備の検索条件と電力供給条件に基づいてあらかじめ決められた電力量である。例えば、電力設備４ａを使用して蓄電池をフル充電する場合、現在の残電力量と蓄電池の最大充電量との差が目標の電力量となる。
電力設備４ａの電力使用量が目標の電力量未満であれば（ステップＳＴ２ｃ；ＮＯ）、電力設備４ａの使用が継続される。
【００８６】
一方、電力設備４ａの電力使用量が目標の電力量に達した場合（ステップＳＴ２ｃ；ＹＥＳ）、情報端末４ｂの通信部４００が、電力設備４ａの電力使用量をサーバ６Ａに送信する（ステップＳＴ３ｃ）。
なお、情報端末４ｂは、電力設備４ａの電力使用量が目標の電力量未満であっても、蓄電池２ｃと電力設備４ａとの接続が解除されるか、もしくは電力需要者によって充電処理が終了されると、それまでの電力使用量を示す情報をサーバ６Ａに送信する。
【００８７】
サーバ６Ａの通信部６ａは、電力使用量を示す情報を情報端末４ｂから受信する（ステップＳＴ１ｄ）。決済処理部６ｆは、通信部６ａにより情報端末４ｂから受信された情報に基づいて電力使用量を特定し、特定した電力使用量に対応する料金を、電力設備４ａを管理する電力供給者に対して決済する（ステップＳＴ２ｄ）。
例えば、決済処理部６ｆは、電力使用量に対応する料金を、電力需要者の利用登録で記憶部６ｂに記憶されたクレジットカードの口座から引き出し、電力供給者の利用登録で記憶部６ｂに記憶された銀行口座番号に自動振り込みする。
【００８８】
特許文献１に記載された従来のシステムでは、電力需要者が、充電装置の使用した後、使用した充電装置の管理ＩＤおよび電力使用量を情報端末に手動入力して、この情報端末を用いて、これらの情報をシステムに送信する必要があった。
このように、特許文献１に記載された従来のシステムは、電力需要者が行う必要がある操作が多く、使い勝手の悪いシステムとなっていた。
これに対し、実施の形態２では、サーバ６Ａが電力使用量に対応する料金の決済を仲介するので、電力需要者が決済に関する操作を行う必要がなく、使い勝手のよいシステムが実現される。
【００８９】
また、決済処理部６ｆは、電力の需要と供給との比率、電力設備周辺の天候および交通状況のうちの少なくとも一つに応じて電力の単価を変更してもよい。
なお、電力の単価は、実施の形態１に係る電力需給管理システムにおいて共通値を設定してもよく、電力設備がある地域ごとに応じた値を設定してもよい。
電力価格を決定する要素には、（１）電力の需要と供給との比率、（２）天候、（３）交通状況が挙げられる。
【００９０】
電力の需要と供給との比率は、例えば、利用登録した電力需要者の数と電力供給者の数との比率を電力設備がある地域ごとに算出したものである。この比率から、電力需要者が多く、電力供給者が少ない地域では、決済処理部６ｆが電力価格を上げる。
決済処理部６ｆは、電力供給者が少ない地域で電力価格を上げた場合に、通信部６ａに指示して、この地域で電力供給を停止している電力設備の管理者（情報端末）に対して、電力供給を促す通知情報を送信してもよい。このようにすることで、新たに参入した電力供給者によって電力の需要と供給のバランスを保つことができる。
【００９１】
電力設備の発電装置が太陽光パネルである場合、電力設備周辺の天候が曇り、雨、雪であると、発電量が少なく、電力の供給量も減少する。この場合、決済処理部６ｆは、電力の価格を上げる。これにより、電力設備の余剰な電力が少ない場合であっても、安定した売電が可能となる。
【００９２】
電力設備周辺の交通量が閾値よりも多い場合、電力設備が供給する電力の需要も増えると考えられるので、決済処理部６ｆは電力の価格を上げる。これにより、電力設備の余剰な電力が少なくなっても、安定した売電が可能となる。
なお、電力設備周辺の天候および交通量は、通信部６ａによって情報サーバ７から取得することができる。
【００９３】
決済処理部６ｆは、要素（１）〜（３）のうちのいずれかまたは組み合わせに基づいて電力の価格を変更する。これにより、電力の需要と供給のバランスが保たれて、電力需要者は、充電の機会が増え、電力供給者は、安定した価格で電力を販売することができる。
【００９４】
また、決済処理部６ｆによって決定された電力の価格は、電力供給者が指定した電力の価格を上回った場合に採用してもよい。
さらに、決済処理部６ｆによって決定された電力の価格は、電力網を介して電力会社に売電する価格を上回った場合に採用してもよい。
【００９５】
以上のように、実施の形態２に係る電力需給管理装置において、決済処理部６ｆは、通信部６ａによって情報端末４ｂから受信された電力使用量に対応する料金を、電力設備４ａを管理する電力供給者に対して決済する。このように構成することで、電力需要者が決済に関する操作を行う必要がなく、使い勝手のよいシステムが実現される。
なお、決済処理部６ｆが、情報端末５ｂから受信された電力使用量に対応する料金を、電力設備５ａを管理する電力供給者に対して決済する場合においても、同様の効果が得られる。
【００９６】
実施の形態２に係る電力需給管理装置において、決済処理部６ｆは、電力の需要と供給の比率、電力設備周辺の天候および交通状況のうちの少なくとも一つに基づいて、電力の価格を変更する。これにより、電力の需要と供給のバランスが保たれて、電力需要者は、充電の機会が増え、電力供給者は、安定した価格で電力を販売することができる。
【００９７】
また、実施の形態１および実施の形態２では、電力設備の余剰な電力で車両を充電する場合を示したが、車両が電力設備に電力を供給してもよい。
例えば、電力設備５ａが電力の供給を受けるべき状況になると、電力設備５ａの管理者は、情報端末５ｂを用いて電力供給要求をサーバ６Ａに行う。
電力設備が電力の供給を受けるべき状況とは、電力設備の電力量が許容値未満になった場合が考えられる。店舗５において、太陽光パネルによる発電ができない夜間に電力網が停電し、蓄電装置を有していない場合に、電力設備５ａの電力量が許容値未満になると、店舗内の機器に対して電力を供給することができなくなる。
【００９８】
サーバ６Ａの検索部６ｃは、通信部６ａによって情報端末５ｂから電力供給要求が受信されると、電力供給要求に含まれる電力設備５ａの位置情報に基づいて、電力設備５ａの周辺に存在する車両を検索する。ここでは、車両２が検索されたものと仮定する。
サーバ６Ａの提示情報生成部６ｄは、電力設備５ａに対する電力供給を促す提示情報を生成し、通信部６ａに指示して、車両２の情報端末２ａに上記提示情報を送信する。
情報端末２ａは、提示情報を受信すると、電力供給要求に応じるか否かをサーバ６Ａに返信する。
【００９９】
サーバ６Ａの提示情報生成部６ｄは、情報端末２ａから電力供給要求に応じる旨の返信があると、電力設備５ａまでの案内経路を提示する提示情報を生成し、通信部６ａに指示して情報端末２ａに上記提示情報を送信する。
情報端末２ａに表示された上記案内経路に従って、車両２は、電力設備５ａまで移動することができる。車両２が電力設備５ａに到着して蓄電池２ｃと電力設備５ａを接続することで、蓄電池２ｃから電力設備５ａに電力を供給することができる。
【０１００】
電力設備から車両に電力供給する場合と同様に、車両２の利用者の認証に成功してから電力供給を開始してもよい。
また、決済処理部６ｆが、通信部６ａによって情報端末２ａから受信された電力使用量に対応する料金を、車両２の利用者に対して決済してもよい。
このように構成することで、電力設備を電力需要源とし、車両（蓄電池）を電力供給源とすることが許容されるので、実施の形態１および実施の形態２に比べて、さらに電力の需要と供給のバランスを保つことができる。
【０１０１】
これまで、車両が、電力設備から電力供給を受ける電力需要源である場合を示したが、充電を必要として移動を伴うものであれば、車両に限定されるものではない。
例えば、携帯電話、スマートフォン、タブレットＰＣといった携帯端末が電力需要源であってもよい。この場合、“残電力量で電力需要源が移動可能な範囲”は、上記携帯端末が備える蓄電池の残電力量が許容下限値未満になるまでに、この携帯端末を伴った移動が可能な範囲として定義される。
【０１０２】
また、電力需給管理装置がサーバ６またはサーバ６Ａである場合を示したが、電力需給管理装置は、電力設備の情報端末と電力需要者の情報端末との両方と通信可能な情報処理装置であれば、サーバに限定されるものではない。例えば、電力需給管理装置は、電力設備の情報端末であってもよく、電力需要者の情報端末であってもよい。
【０１０３】
なお、本発明は上記実施の形態に限定されるものではなく、本発明の範囲内において、実施の形態のそれぞれの自由な組み合わせまたは実施の形態のそれぞれの任意の構成要素の変形もしくは実施の形態のそれぞれにおいて任意の構成要素の省略が可能である。
【産業上の利用可能性】
【０１０４】
この発明に係る電力需給管理装置は、電力供給源の余剰な電力を有効に活用することができるので、電気を動力源とした車両の充電に利用することができる。
【符号の説明】
【０１０５】
１  電力需給管理システム、２，３  車両、２ａ，３ａ，４ｂ，５ｂ  情報端末、２ｂ，３ｂ  処理装置、２ｃ，３ｃ  蓄電池、４  住宅、４ａ，５ａ  電力設備、４ｃ，５ｃ  ルータ、４ｄ，５ｄ  ゲートウェイ装置、５  店舗、６，６Ａ  サーバ、６ａ，３００，４００  通信部、６ｂ  記憶部、６ｃ  検索部、６ｄ  提示情報生成部、６ｅ  予約処理部、６ｆ  決済処理部、７  情報サーバ、８  ネットワーク、１００  通信装置、１０１  記憶装置、１０２  処理回路、１０３  プロセッサ、１０４  メモリ、３０１，４０１  提示部、３０２，４０２  出力部。
【図１】
2018225125.tif 000003
【図２】
2018225125.tif 000004
【図３】
2018225125.tif 000005
【図４】
2018225125.tif 000006
【図５】
2018225125.tif 000007
【図６】
2018225125.tif 000008
【図７】
2018225125.tif 000009
【図８】
2018225125.tif 000010
【図９】
2018225125.tif 000011
【図１０】
2018225125.tif 000012
【図１１】
2018225125.tif 000013
【図１２】
2018225125.tif 000014
【図１３】
2018225125.tif 000015
【図１４】
2018225125.tif 000016
【図１５】
2018225125.tif 000017
【手続補正書】
【提出日】平成29年10月3日(2017.10.3)
【手続補正１】
【補正対象書類名】明細書
【補正対象項目名】０００８
【補正方法】変更
【補正の内容】
【０００８】
この発明に係る電力需給管理装置は、通信部、記憶部、検索部および予約処理部を備える。通信部は、電力需要側端末と通信する。記憶部は、複数の電力設備のそれぞれに設定された複数の電力供給情報を記憶する。検索部は、通信部によって電力需要側端末から受信された検索要求に含まれる検索項目と、記憶部に記憶された複数の電力供給情報に含まれ、電力供給源が供給可能な電力のうち、余剰電力と判断される電力を供給対象とする余剰電力条件を含む電力供給条件項目とを比較して、双方の項目の条件を満たす電力設備を検索する。提示情報生成部は、検索部によって検索された電力設備を提示する提示情報を生成する。予約処理部は、電力需要側端末において提示情報によって提示された電力供給源のうち、電力需要側端末から要求された電力供給源を予約する。
【手続補正２】
【補正対象書類名】特許請求の範囲
【補正対象項目名】全文
【補正方法】変更
【補正の内容】
【特許請求の範囲】
【請求項１】
電力需要側端末と通信する通信部と、
複数の電力供給源のそれぞれに設定された複数の電力供給情報を記憶する記憶部と、
前記通信部によって前記電力需要側端末から受信された検索要求に含まれる検索項目と、前記記憶部に記憶された複数の電力供給情報に含まれ、電力供給源が供給可能な電力のうち、余剰電力と判断される電力を供給対象とする余剰電力条件を含む電力供給条件項目とを比較して、双方の項目の条件を満たす電力供給源を検索する検索部と、
前記検索部によって検索された電力供給源を提示する提示情報を生成する提示情報生成部と、
前記電力需要側端末において前記提示情報によって提示された電力供給源のうち、前記電力需要側端末から要求された電力供給源を予約する予約処理部と
を備えたことを特徴とする電力需給管理装置。
【請求項２】
前記電力供給条件項目には、電力供給源が設けられた駐車場の使用状況が含まれ、
前記検索部は、検索項目と、余剰電力条件および駐車場の使用状況を含む前記電力供給条件項目とを比較して、双方の項目の条件を満たす電力供給源を検索すること
を特徴とする請求項１記載の電力需給管理装置。
【請求項３】
前記提示情報生成部は、前記検索部によって検索された電力供給源を、電力需要源が到達可能であるか否かを区別して提示する前記提示情報を生成すること
を特徴とする請求項１記載の電力需給管理装置。
【請求項４】
前記検索部は、電力需要源の残電力量が許容下限値未満になった場合、残電力量で電力需要源が移動可能な範囲内でかつ移動経路の周辺に存在する電力供給源を検索すること
を特徴とする請求項１記載の電力需給管理装置。
【請求項５】
前記予約処理部は、前記電力需要側端末からの要求に応じて予約した電力供給源の使用を制限し、電力需要者が認証されると、予約した電力供給源の使用制限を解除し、電力需要者が認証されない場合は、予約した電力供給源の使用制限を継続すること
を特徴とする請求項１記載の電力需給管理装置。
【請求項６】
前記予約処理部は、予約元の電力需要者の電力需要源が、予約した電力供給源の使用を制限する予約時間が経過する前に到達可能であるか否かを推定し、
前記通信部は、前記予約処理部によって予約時間内に到達できないと推定された場合、予約元の電力需要者の前記電力需要側端末から、予約解除、電力供給源の再検索、および予約時間の延長を含む対応処理の選択を受け付け、
前記検索部および前記予約処理部は、前記通信部によって前記電力需要側端末から選択された対応処理を実行すること
を特徴とする請求項５記載の電力需給管理装置。
【請求項７】
前記予約処理部は、予約元の電力需要者による電力供給源の予約時間が経過する前に、別の電力需要者から同一の電力供給源が予約要求された場合、予約元の電力需要者による電力供給源の使用が完了した後に、前記別の電力需要者の電力需要源が電力供給源に到達すると推定されれば、前記別の電力需要者について電力供給源の予約を受け付けること
を特徴とする請求項６記載の電力需給管理装置。
【請求項８】
前記記憶部は、電力供給源の評価情報および電力需要者の評価情報を記憶し、
前記通信部は、前記電力需要側端末からの閲覧要求に応じて、電力供給源の評価情報を前記電力需要側端末に送信し、電力供給側端末からの閲覧要求に応じて、電力需要者の評価情報を前記電力供給側端末に送信すること
を特徴とする請求項１記載の電力需給管理装置。
【請求項９】
前記検索部は、電力需要者の評価情報が電力供給源の評価情報に適合する電力供給源を検索すること
を特徴とする請求項８記載の電力需給管理装置。
【請求項１０】
前記通信部によって前記電力需要側端末から受信された電力使用量に対応する料金を、電力供給源を管理する電力供給者に対して決済する決済処理部を備えたこと
を特徴とする請求項１記載の電力需給管理装置。
【請求項１１】
前記決済処理部は、電力の需要と供給の比率、電力供給源の周辺の天候および交通状況のうちの少なくとも一つに応じて電力の単価を変更すること
を特徴とする請求項１０記載の電力需給管理装置。
【請求項１２】
電力需要側端末、電力供給側端末およびサーバを備えたシステムであって、
前記電力需要側端末は、
前記サーバと通信する第１の通信部と、
前記第１の通信部によって前記サーバから受信された提示情報を電力需要者に提示する第１の提示部とを有し、
前記電力供給側端末は、
前記サーバと通信する第２の通信部と、
前記第２の通信部によって前記サーバに送信される電力供給情報を電力供給者に提示する第２の提示部とを有し、
前記サーバは、
前記電力需要側端末および前記電力供給側端末と通信する第３の通信部と、
複数の電力供給源のそれぞれに設定されて、前記第３の通信部によって前記電力供給側端末から受信された複数の電力供給情報を記憶する記憶部と、
前記第３の通信部によって前記電力需要側端末から受信された検索要求に含まれる検索項目と、前記記憶部に記憶された複数の電力供給情報に含まれ、電力供給源が供給可能な電力のうち、余剰電力と判断される電力を供給対象とする余剰電力条件を含む電力供給条件項目とを比較して、双方の項目の条件を満たす電力供給源を検索する検索部と、
前記検索部によって検索された電力供給源を提示する提示情報を生成する提示情報生成部と、
前記電力需要側端末において前記提示情報によって提示された電力供給源のうち、前記電力需要側端末から要求された電力供給源を予約する予約処理部とを有すること
を特徴とする電力需給管理システム。
【請求項１３】
前記第１の提示部は、予約元の電力需要者の電力需要源が、予約した電力供給源の使用を制限する予約時間内に到達できないと推定されると、予約解除、電力供給源の再検索、および予約時間の延長を含む対応処理の選択情報を、予約元の電力需要者に提示し、
前記検索部および前記予約処理部は、前記選択情報に基づいて、予約元の電力需要者に選択された対応処理を実行すること
を特徴とする請求項１２記載の電力需給管理システム。
【請求項１４】
検索部が、通信部によって電力需要側端末から受信された検索要求に含まれる検索項目と、記憶部に記憶された複数の電力供給情報に含まれ、電力供給源が供給可能な電力のうち、余剰電力と判断される電力を供給対象とする余剰電力条件を含む電力供給条件項目とを比較して、双方の項目の条件を満たす電力供給源を検索するステップと、
提示情報生成部が、前記検索部によって検索された電力供給源を提示する提示情報を生成するステップと、
予約処理部が、前記電力需要側端末において前記提示情報によって提示された電力供給源のうち、前記電力需要側端末から要求された電力供給源を予約するステップと
を備えたことを特徴とする電力需給管理方法。
【手続補正書】
【提出日】平成30年2月14日(2018.2.14)
【手続補正１】
【補正対象書類名】明細書
【補正対象項目名】０００８
【補正方法】変更
【補正の内容】
【０００８】
この発明に係る電力需給管理装置は、通信部、記憶部、検索部および予約処理部を備える。通信部は、電力需要側端末と通信する。記憶部は、複数の電力設備のそれぞれに設定された複数の電力供給情報を記憶する。検索部は、通信部によって電力需要側端末から受信された検索要求に含まれる検索項目と、記憶部に記憶された複数の電力供給情報に含まれ、電力供給源が供給可能な電力のうち、余剰電力と判断される電力を供給対象とする余剰電力条件および供給する電力の価格条件を含む電力供給条件項目とを比較して、供給する電力の価格が電力会社への売電単価を上回った場合に、双方の項目の条件を満たす電力設備を検索する。提示情報生成部は、検索部によって検索された電力設備を提示する提示情報を生成する。予約処理部は、電力需要側端末において提示情報によって提示された電力供給源のうち、電力需要側端末から要求された電力供給源を予約する。
【手続補正２】
【補正対象書類名】特許請求の範囲
【補正対象項目名】全文
【補正方法】変更
【補正の内容】
【特許請求の範囲】
【請求項１】
電力需要側端末と通信する通信部と、
複数の電力供給源のそれぞれに設定された複数の電力供給情報を記憶する記憶部と、
前記通信部によって前記電力需要側端末から受信された検索要求に含まれる検索項目と、前記記憶部に記憶された複数の電力供給情報に含まれ、電力供給源が供給可能な電力のうち、余剰電力と判断される電力を供給対象とする余剰電力条件および供給する電力の価格条件を含む電力供給条件項目とを比較して、供給する電力の価格が電力会社への売電単価を上回った場合に、双方の項目の条件を満たす電力供給源を検索する検索部と、
前記検索部によって検索された電力供給源を提示する提示情報を生成する提示情報生成部と、
前記電力需要側端末において前記提示情報によって提示された電力供給源のうち、前記電力需要側端末から要求された電力供給源を予約する予約処理部とを備えたことを特徴とする電力需給管理装置。
【請求項２】
前記電力供給条件項目には、電力供給源が設けられた駐車場の使用状況が含まれ、
前記検索部は、検索項目と、余剰電力条件および駐車場の使用状況を含む前記電力供給条件項目とを比較して、双方の項目の条件を満たす電力供給源を検索すること
を特徴とする請求項１記載の電力需給管理装置。
【請求項３】
前記提示情報生成部は、前記検索部によって検索された電力供給源を、電力需要源が到達可能であるか否かを区別して提示する前記提示情報を生成すること
を特徴とする請求項１記載の電力需給管理装置。
【請求項４】
前記検索部は、電力需要源の残電力量が許容下限値未満になった場合、残電力量で電力需要源が移動可能な範囲内でかつ移動経路の周辺に存在する電力供給源を検索すること
を特徴とする請求項１記載の電力需給管理装置。
【請求項５】
前記予約処理部は、前記電力需要側端末からの要求に応じて予約した電力供給源の使用を制限し、電力需要者が認証されると、予約した電力供給源の使用制限を解除し、電力需要者が認証されない場合は、予約した電力供給源の使用制限を継続すること
を特徴とする請求項１記載の電力需給管理装置。
【請求項６】
前記予約処理部は、予約元の電力需要者の電力需要源が、予約した電力供給源の使用を制限する予約時間が経過する前に到達可能であるか否かを推定し、
前記通信部は、前記予約処理部によって予約時間内に到達できないと推定された場合、予約元の電力需要者の前記電力需要側端末から、予約解除、電力供給源の再検索、および予約時間の延長を含む対応処理の選択を受け付け、
前記検索部および前記予約処理部は、前記通信部によって前記電力需要側端末から選択された対応処理を実行すること
を特徴とする請求項５記載の電力需給管理装置。
【請求項７】
前記予約処理部は、予約元の電力需要者による電力供給源の予約時間が経過する前に、別の電力需要者から同一の電力供給源が予約要求された場合、予約元の電力需要者による電力供給源の使用が完了した後に、前記別の電力需要者の電力需要源が電力供給源に到達すると推定されれば、前記別の電力需要者について電力供給源の予約を受け付けること
を特徴とする請求項６記載の電力需給管理装置。
【請求項８】
前記記憶部は、電力供給源の評価情報および電力需要者の評価情報を記憶し、
前記通信部は、前記電力需要側端末からの閲覧要求に応じて、電力供給源の評価情報を前記電力需要側端末に送信し、電力供給側端末からの閲覧要求に応じて、電力需要者の評価情報を前記電力供給側端末に送信すること
を特徴とする請求項１記載の電力需給管理装置。
【請求項９】
前記検索部は、電力需要者の評価情報が電力供給源の評価情報に適合する電力供給源を検索すること
を特徴とする請求項８記載の電力需給管理装置。
【請求項１０】
前記通信部によって前記電力需要側端末から受信された電力使用量に対応する料金を、電力供給源を管理する電力供給者に対して決済する決済処理部を備えたこと
を特徴とする請求項１記載の電力需給管理装置。
【請求項１１】
前記決済処理部は、電力の需要と供給の比率、電力供給源の周辺の天候および交通状況のうちの少なくとも一つに応じて電力の単価を変更すること
を特徴とする請求項１０記載の電力需給管理装置。
【請求項１２】
電力需要側端末、電力供給側端末およびサーバを備えたシステムであって、
前記電力需要側端末は、
前記サーバと通信する第１の通信部と、
前記第１の通信部によって前記サーバから受信された提示情報を電力需要者に提示する第１の提示部とを有し、
前記電力供給側端末は、
前記サーバと通信する第２の通信部と、
前記第２の通信部によって前記サーバに送信される電力供給情報を電力供給者に提示する第２の提示部とを有し、
前記サーバは、
前記電力需要側端末および前記電力供給側端末と通信する第３の通信部と、
複数の電力供給源のそれぞれに設定されて、前記第３の通信部によって前記電力供給側端末から受信された複数の電力供給情報を記憶する記憶部と、
前記第３の通信部によって前記電力需要側端末から受信された検索要求に含まれる検索項目と、前記記憶部に記憶された複数の電力供給情報に含まれ、電力供給源が供給可能な電力のうち、余剰電力と判断される電力を供給対象とする余剰電力条件および供給する電力の価格条件を含む電力供給条件項目とを比較して、供給する電力の価格が電力会社への売電単価を上回った場合に、双方の項目の条件を満たす電力供給源を検索する検索部と、
前記検索部によって検索された電力供給源を提示する前記提示情報を生成する提示情報生成部と、
前記電力需要側端末において前記提示情報によって提示された電力供給源のうち、前記電力需要側端末から要求された電力供給源を予約する予約処理部とを有すること
を特徴とする電力需給管理システム。
【請求項１３】
前記第１の提示部は、予約元の電力需要者の電力需要源が、予約した電力供給源の使用を制限する予約時間内に到達できないと推定されると、予約解除、電力供給源の再検索、および予約時間の延長を含む対応処理の選択情報を、予約元の電力需要者に提示し、
前記検索部および前記予約処理部は、前記選択情報に基づいて、予約元の電力需要者に選択された対応処理を実行すること
を特徴とする請求項１２記載の電力需給管理システム。
【請求項１４】
検索部が、通信部によって電力需要側端末から受信された検索要求に含まれる検索項目と、記憶部に記憶された複数の電力供給情報に含まれ、電力供給源が供給可能な電力のうち、余剰電力と判断される電力を供給対象とする余剰電力条件および供給する電力の価格条件を含む電力供給条件項目とを比較して、供給する電力の価格が電力会社への売電単価を上回った場合に、双方の項目の条件を満たす電力供給源を検索するステップと、
提示情報生成部が、前記検索部によって検索された電力供給源を提示する提示情報を生成するステップと、
予約処理部が、前記電力需要側端末において前記提示情報によって提示された電力供給源のうち、前記電力需要側端末から要求された電力供給源を予約するステップと
を備えたことを特徴とする電力需給管理方法。
【国際調査報告】
2018225125.tif 000018
2018225125.tif 000019
2018225125.tif 000020
2018225125.tif 000021